(57)【要約】【課題】タブレット端末を立てた姿勢で安定させて支持するとともに、容易に取り付けや取り外しができるようにする。【解決手段】ホルダー１と、ホルダー１を立てた姿勢で固定する固定台２とから成る。ホルダー１はタブレット端末３を前面に支持する支持部４を有する表板部１１と、表板部１１の背面上へ折り返されて重ねられる背板部１２とを有する。表板部１１には、支持部４の一側方へ張り出す第１の張出し部１３と支持部４の他側方へ張り出して背板部１２との間に介在する第２の張出し部１４とが設けられている。第２の張出し部１４には背板部１２を表板部１１の背面上と表板部１１の前面上とに折り返すことを可能とする折り返し部５が形成されている。固定台２は各張出し部１３，１４を両側より支持する支持部材２８を有し、一方の支持部材２８は開閉して張出し部と係脱する。【選択図】図２
2015189240.tif 000002
【特許請求の範囲】
【請求項１】
板状のタブレット端末を支持するためのホルダーと、ホルダーを立てた姿勢で固定する固定台とから成り、前記ホルダーは、タブレット端末を表示面を覆わない状態で支持する支持部を前面に有する表板部と、前記表板部の背面上へ折り返されて重ねられる背板部とを有し、前記表板部には、前記支持部の一側方へ張り出す第１の張出し部と前記支持部の他側方へ張り出して背板部との間に介在する第２の張出し部とが設けられ、第２の張出し部には、背板部を表板部の背面上と表板部の前面上とに折り返すことを可能とする折り返し部が形成されており、前記固定台は、前記第１、第２の各張出し部を両側より支持する支持部材を有し、支持部材の少なくとも一方は開閉して張出し部と係脱するように形成されて成るタブレット端末支持装置。
【請求項２】
前記表板部の支持部は、タブレット端末の表示面の外周に沿って一周する矩形状の枠体部と、枠体部の３辺と表板部の前面との間をタブレット端末の厚みに応じた間隔をあけて連結する襠部材とで構成され、枠体部の残りの１辺には、表板部と枠体部との間のタブレット端末の収容空間に対してタブレット端末を出し入れするための蓋付きの出し入れ口が形成されている請求項１に記載されたタブレット端末支持装置。
【請求項３】
前記折り返し部は、第２の張出し部の表板部と連なる部分に設けられ第２の張出し部を前面側へ折り曲げることを可能とする第１の折れ線と、第２の張出し部の背板部と連なる部分に設けられ背板部を表板部の背面上と表板部の前面上とに折り返すことを可能とする第２の折れ線とで構成されている請求項１に記載されたタブレット端末支持装置。
【請求項４】
前記表板部と背板部とが対向する面に互いに着脱が可能な留め部材がそれぞれ取り付けられている請求項１に記載されたタブレット端末支持装置。
【請求項５】
前記固定台は、ホルダーを背後より支える支え面の両側に側壁部が対向して設けられ、各側壁部に前記支持部材が内向きに突設され、各支持部材と前記支え面との間にホルダーの第１、第２の各張出し部が入り込む溝が形成されている請求項１に記載されたタブレット端末支持装置。
【請求項６】
前記側壁部は、少なくとも一方が開閉することにより前記支持部材がホルダーの張出し部と係脱するようになっている請求項５に記載されたタブレット端末支持装置。
【発明の詳細な説明】
【技術分野】
【０００１】
この発明は、列車の運転台の近傍に、タブレット端末を立てた姿勢で支持するのに用いられるタブレット端末支持装置に関する。
【背景技術】
【０００２】
従前より、列車の運転台の近傍には、運行する路線の時刻表を表した用紙が立てた姿勢で専用の支持装置により支持されている。乗務員は、適時、時刻表に対して指さし確認を行いながら列車の運行を行うように義務づけられている（例えば特許文献１参照）。
【先行技術文献】
【特許文献】
【０００３】
【特許文献１】実公平１−３８６１７号公報
【発明の概要】
【発明が解決しようとする課題】
【０００４】
運転台の近傍に時刻表を設置することは列車の運行に必須の義務規定となっており、乗務員は常に担当予定の路線の時刻表を携行している。しかし、事故などの影響で予定外の路線の列車を担当しなければならない場合や、臨時の時刻表が必要となる場合もあり、そのような場合に、乗務員が担当する路線の時刻表を持ち合わせていなければ、管理部門から停車中の駅へＦＡＸ送信などの方法で時刻表を提供してもらう必要があり、手間がかかり、列車の発車が大幅に遅れるおそれがある。
【０００５】
そこで、各路線の時刻表を電子データにして保存し、必要な時刻表のデータを呼び出してモニタに表示するようにすれば、どの路線の乗務にも速やかに対応でき、課題の解決が可能である。特に、タブレット端末を使用すれば、データの保存や表示をそれ一台で行うことができ、取り扱いも簡単である。また、仮に、必要なデータが保存されていなくても、通信によりデータを取得することができるという利点もある。
【０００６】
列車を運行しながらタブレット端末に表示された時刻表を確認できるようにするには、紙の時刻表と同じように、タブレット端末を立てた姿勢で支持する必要がある。また、列車の走行による振動の影響などでタブレット端末が倒れないように工夫する必要もある。しかし、タブレット端末をしっかり固定してしまうと、タブレット端末の取り外しが困難となる。タブレット端末を時刻表を表示する以外の目的に使用する可能性や、充電などの目的で外部機器に接続する必要性を考慮すると、タブレット端末は容易に取り外しができる状態で支持されるのが望ましい。
【０００７】
上記した課題に鑑み、この発明の発明者は、今般、タブレット端末を立てた姿勢で安定して支持できるとともに、タブレット端末の取り付けや取り外しを容易に行えるタブレット端末支持装置を開発するに至った。このタブレット端末支持装置は、図１０および図１１に示すように、板状のタブレット端末３を支持するためのホルダー９と、ホルダー９を立てた姿勢で固定する固定台２とから成るものである。このホルダー９によってタブレット端末３を立てた姿勢で固定台２に安定して支持できるようになり、また、ホルダー９を固定台２より取り外すことで、タブレット端末３を容易に取り外すことができるようになった。
【課題を解決するための手段】
【０００８】
図１２はホルダー９が固定台２に組み付けられるときの組立状態を、また、図１３はホルダー９を固定台２より取り外して開いたときの状態を、それぞれ示している。このホルダー９は、タブレット端末３を表示面（ディスプレイ）３０が覆われずに前面側に拘束した状態で支持する表板部９０と、タブレット端末３の表示面３０に対応する大きさの背板部９１とを有している。表板部９０の上端部と背板部９１の上端部との間は可撓性を有する第１の接続片９２によって一体に連結されている。表板部９０の下端部と背板部９１の下端部との間は可撓性を有する第２の接続片９３を介して分離可能に連結されている。
【０００９】
前記固定台２は、ホルダー９を前面で支持するための背壁部２３を有し、背壁部２３の両側には側壁部２１，２２が、下部には底板２４が、それぞれ設けられたものである。各側壁部２１，２２は、ホルダー９の背板部９１の幅より大きい間隔を隔てて対向している。各側壁部２１，２２にはホルダー９の背板部９１の両側部を支持する支持部材２８，２８が内向きに突設されており、各支持部材２８，２８と背壁部２３との間には背板部９１の両側部が入り込む溝２０が形成されている。一方の側壁部２２を開閉して起伏動作させると、支持部材２８が背板部９１の側部と係脱するようになっている。
【００１０】
上記の構成のタブレット端末支持装置では、固定台２の一方の側壁部２２を開き、ホルダー９の背板部９１を支え面２３ａ上に位置決めした後、側壁部２２を閉じることによって、ホルダー９の背板部９１の両側部が左右の溝２０に入り込んで各支持部材２８と係合した状態になり、ホルダー９およびホルダー９に支持されるタブレット端末３は立てた姿勢で固定される。
【００１１】
固定台２の側壁部２２を開いて背板部９１の両側部と各支持部材２８との係合を解除すれば、ホルダー９をタブレット端末３を支持した状態のまま取り出すことができる。第２の接続片９３による表板部９０の下端部と背板部９１の下端部との連結を解除し、背板部９１を前面側へ折り返せば、タブレット端末３の表示面３０を背板部９１により覆うことができる。その後、背板部９１の下端部と表板部９０の下端部とを第２の接続片９３によって連結して、背板部９１がずれないようにすると、タブレット端末３をホルダー９に支持された状態のまま持ち運ぶことができる。
【００１２】
ところで、タブレット端末３には種々のサイズがある。上記したホルダー９は表示面のサイズで１０．１インチのタブレット端末（以下、「大きいサイズのタブレット端末」という。）に適合するように開発したものであり、表示面のサイズで７インチのタブレット端末）（以下、「小さいサイズのタブレット端末」という。）については、上記のホルダー９に適合せず、そのホルダー９によっては図２の固定台２にタブレット端末３を立てた姿勢で支持することができない。
【００１３】
この発明は、上記の問題に着目してなされたもので、小さいサイズのタブレット端末についても、タブレット端末を立てた状態で安定して支持するとともに、タブレット端末の取り付けや取り外しを容易に行うことができるタブレット端末支持装置を提供することを目的とする。
【００１４】
この発明によるタブレット端末支持装置は、板状のタブレット端末を支持するためのホルダーと、ホルダーを立てた姿勢で固定する固定台とから成るもので、前記ホルダーは、タブレット端末を表示面を覆わない状態で支持する支持部を前面に有する表板部と、前記表板部の背面上へ折り返されて重ねられる背板部とを有している。前記表板部には、前記支持部の一側方へ張り出す部分（以下、「第１の張出し部」という。）と前記支持部の他側方へ張り出して背板部との間に介在する部分（以下、「第２の張出し部」という。）とが設けられている。第２の張出し部には、背板部を表板部の背面上と表板部の前面上とに折り返すことを可能とする折り返し部が形成されている。前記固定台は、前記第１、第２の各張出し部を両側より支持する支持部材を有し、支持部材の少なくとも一方は開閉して張出し部と係脱するように形成されている。
【００１５】
上記の構成のタブレット端末支持装置では、固定台の少なくとも一方の支持部材を開いた状態でホルダーを固定台に位置決めした後、支持部材を閉じることによって、ホルダーの表板部の両側の第１、第２の各張出し部が左右の支持部材と係合するので、ホルダーおよびホルダーに支持されるタブレット端末を立てた姿勢で固定できる。
【００１６】
固定台の少なくとも一方の支持部材を開き、第１、第２の張出し部と各支持部材との係合を解除すれば、ホルダーをタブレット端末を支持した状態のまま取り出すことができる。折り返し部で背板部を表板部の背面上から表板部の前面上に折り返せば、タブレット端末の表示面を背板部により覆うことができ、タブレット端末をホルダーに支持された状態のまま持ち運ぶことができる。
【００１７】
この発明の好ましい実施態様においては、前記表板部の支持部は、タブレット端末の表示面の外周に沿って一周する矩形状の枠体部と、枠体部の３辺と表板部の前面との間をタブレット端末の厚みに応じた間隔をあけて連結する襠部材とで構成され、枠体部の残りの１辺には、表板部と枠体部との間のタブレット端末の収容空間に対してタブレット端末を出し入れするための蓋付きの出し入れ口が形成されている。
【００１８】
この実施態様によると、タブレット端末はその背面が表板部の前面に支持され、表示面の外周に沿って枠体部および襠部材により支持されるとともに、出し入れ口が蓋により塞がれるので、タブレット端末がホルダーから脱落することがない。また、出し入れ口より収容空間に対してタブレット端末を容易に出し入れできるので、充電器などの機器と接続するためにタブレット端末を取り出す必要が生じた場合にも、容易に対応することができる。
【００１９】
この発明の好ましい実施態様においては、前記折り返し部は、第２の張出し部の表板部と連なる部分に設けられ第２の張出し部を前面側へ折り曲げることを可能とする第１の折れ線と、第２の張出し部の背板部と連なる部分に設けられ背板部を表板部の背面上と表板部の前面上とに折り返すことを可能とする第２の折れ線とで構成されている。
【００２０】
この実施態様においては、背板部は第２の折れ線で折り返されて表板部の背面上へ重ねられており、その折り返し状態から、第１の折れ線で第２の張出し部を前面側へ折り曲げるとともに、第２の折れ線で背板部を前面側へ折り曲げて表板部の前面上に折り返すことにより、タブレット端末の表示面を背板部により覆うことができ、タブレット端末をホルダーに支持された状態のまま持ち運ぶことができる。
【００２１】
なお、前記折り返し部は、第２の張出し部の幅中央部に前後へ折り曲げることが可能な１個の折れ線をもって構成することもできる。この実施態様の場合は、背板部は前記の折れ線で折り返されて表板部の背面上に重ねられており、その折り曲げ状態から、折れ線で背板部を前面側へ折り曲げて表板部の前面上に折り返すことにより、タブレット端末の表示面を背板部により覆うことができる。また、折り返し部は、背板部を前後に折り返すことが可能な構成あれば、必ずしも折れ線により構成される必要はなく、例えば、幅のある柔軟な帯状部分であってもよい。
【００２２】
この発明の好ましい実施態様において、前記表板部と背板部とが対向する面に互いに着脱が可能な留め部材がそれぞれ取り付けられている。前記の留め部材として面ファスナーが好適であるが、これに限らず、ホックやスナップのようなものであってもよい。
【００２３】
この実施態様によれば、表板部の背面上へ折り返されて重ねられた背板部と表板部との間が留め部材により留め固定されるので、折り返されて重ねられた形態が保持される。
【００２４】
この発明の好ましい実施態様においては、前記固定台は、ホルダーを背後より支える支え面の両側に側壁部が対向して設けられ、各側壁部に前記支持部材が内向きに突設され、各支持部材と前記支え面との間にホルダーの第１、第２の各張出し部が入り込む溝が形成されている。
【００２５】
この実施態様によると、ホルダーは左右の側壁部間に嵌まった状態で第１、第２の各張出し部が左右の溝に入り込んで各支持部材と係合する。
【００２６】
上記の実施態様では、側壁部の少なくとも一方が開閉することにより支持部材がホルダーの張出し部と係脱するようになっているが、支持部材を開閉することにより支持部材と張出し部とを係脱するようにしてもよい。
【発明の効果】
【００２７】
この発明によれば、小さいサイズのタブレット端末についても、ホルダーを固定台の支持部材により支持させることによって、タブレット端末を立てた姿勢で安定して支持することができる。また、支持部材の開閉という簡単な作業によってホルダーを固定台に取り付けたり、取り外したりすることができる。しかも、取り外し後は、背板部を折り返して表板部の前面上に重ねれば、タブレット端末の表示面が背板部により保護され、ホルダーに支持された状態のままタブレット端末を持ち運ぶことができ、利便性が高められる。
さらに、大きいサイズのタブレット端末が適合する固定台に小さいサイズのタブレット端末も適合させることができるうえに、固定台よりホルダーを取り外して背板部を前面側へ折り返して表板部の前面に重ねたとき、ホルダーの全体がコンパクトな大きさとなり、タブレット端末の携帯性が高められる。
【図面の簡単な説明】
【００２８】
【図１】この発明に係るタブレット端末支持装置の外観を示す正面図である。
【図２】図１のタブレット端末支持装置の外観を示す平面図である。
【図３】固定台の外観を示す斜視図である。
【図４】図１のタブレット端末支持装置を構成するホルダーを組み立てた状態を示す正面図である。
【図５】図１のタブレット端末支持装置を構成するホルダーを開放した状態を示す正面図である。
【図６】開放した状態の図５のホルダーを示す背面図である。
【図７】図１のタブレット端末支持装置を構成するホルダーをタブレット端末の保護ケースとして使用する状態を示す平面図である。
【図８】紙の時刻表が固定台に支持された状態を示す平面図である。
【図９】他の実施例のホルダーを開放した状態を示す正面図である。
【図１０】大きいサイズのタブレット端末に適用されるタブレット端末支持装置の外観を示す斜視図である。
【図１１】図１０のタブレット端末支持装置の外観を示す平面図である。
【図１２】図１０のタブレット端末支持装置における組立状態のホルダーを示す側面図である。
【図１３】図１０のタブレット端末支持装置における開放した状態のホルダーを示す正面図である。
【発明を実施するための形態】
【００２９】
図１および図２は、この発明の１実施例であるタブレット端末支持装置１０の外観を示すもので、図１は正面から見た正面図、図２は上方から見た平面図である。
このタブレット端末支持装置１０は、列車の運転台の近傍に設置されるもので、板状のタブレット端末３を支持するためのホルダー１と、ホルダー１を立てた姿勢で固定するスチール製の固定台２とで構成されている。
【００３０】
固定台２は、背面に設けられた取付金具（図示せず）によって、運転席の斜め前方の窓枠または壁面に固定される。この実施例の固定台２は、図８に示すように、従来の紙の時刻表８を保持することも可能であり、そのために、一方の側壁部２１には時刻表８の紙面を照らすための照明装置２５が組み込まれている。したがって、この実施例の固定台２には、紙の時刻表８、大きいサイズのタブレット端末、小さいサイズのタブレット端末のいずれもが適合するものであり、従前より列車の運転台の近傍に設置されている既設の固定台２をそのまま用いている。なお、固定台２は壁や窓枠に固定されるものに代えて、水平面上に定置されるスタンド式のものを採用することもできる。
【００３１】
図３は、ホルダー１が取り外された状態の固定台２の外観を示している。なお、この固定台２は列車の運転台の近傍に設置されている既設のものであるが、これに限らず、タブレット端末３に専用のものを新たに製作してもよく、その場合は前記照明装置２５を組み込む必要はない。
この固定台２は、背壁部２３の両側に側壁部２１，２２が、背壁部２３の下部の側壁部２１，２２間に底板２４が、それぞれ設けられたものである。背壁部２３の前面はホルダー１を背後より支える支え面２３ａを構成する。一方の側壁部２１は、他方の側壁部２２と対向する面の一部が開放された中空のケース体により構成されている。
【００３２】
側壁部２１を構成するケース体の内部には、前記照明装置２５を構成する２個のＬＥＤ基板２６，２６が上下の各位置に固定されている。各ＬＥＤ基板２６には、長さ方向に沿って並ぶ複数のＬＥＤ（図示せず）がケース体の前記の開放された部分に向けて実装されている。なお、各ＬＥＤは、背面側の電源ボックス２００から電源の供給を受けて点灯する。なお、光源としてＬＥＤに代えて小型電球などを用いてもよい。また、照明装置２５は一方の側壁部２１のみならず、他方の側壁部２２にも設けることができる。
【００３３】
他方の側壁部２２は帯板材によって構成されている。この帯板材は上下方向の３箇所が蝶番２７、２７，２７を介して背壁部２３の側端縁に開閉可能に取り付けられている。各蝶番２７には図示しないバネが組み付けられており、側壁部２２がバネによって支え面２３ａと直角に起立するよう付勢されている。側壁部２２を外方に向けて押すと、側壁部２２が倒れて開き、その押圧力を解除すると、側壁部２２はバネの復元力によって閉じ、元の起立した姿勢に戻る。
【００３４】
左右の側壁部２１，２２は、後述するホルダー１の第１の張出し部１３と第２の張出し部１４との間の幅ｄ１（図４参照）より大きな間隔Ｄ１を隔てて対向している。各側壁部２１，２２の対向する面にはそれぞれ帯板状の支持部材２８，２８が内向きに突設されている。この実施例の各支持部材２８は上下方向に長い帯板状のものであるが、これに限らず、例えば、複数個の爪板を上下方向に並べたような構成のものであってもよい。各支持部材２８，２８は、前記したホルダー１の第１の張出し部１３と第２の張出し部１４との間の幅ｄ１より狭い間隔Ｄ２を隔てて対向している。背壁部２３の前面の支え面２３ａと各支持部材２８，２８との間にはそれぞれ溝２０，２０が形成される。各溝２０に、後述するホルダー１の第１、第２の各張出し部１３，１４が入り込むことで、各張出し部１３，１４が各支持部材２８と係合し、ホルダー１が支持される。
なお、この実施例では一方の側壁部２２のみが開閉可能な構成となっているが、他方の側壁部２１についても開閉可能な構成としてもよい。
【００３５】
背壁部２３の前面の支え面２３ａには、上部、下部、および高さ中央部の各位置に、ホルダー１を前方へ押圧する板バネ２９がそれぞれ取り付けられている。ホルダー１と当接した板バネ２９のバネ圧によって第１、第２の各張出し部１３，１４は左右の支持部材２８，２８に押し付けられる。
【００３６】
図４はホルダー１が固定台２に組み付けられるときの組立状態を示す。また、図５および図６はホルダー１を固定台２より取り外して開いたときの状態を示す。なお、図５はホルダー１の内面を、図６はホルダー１の外面を、それぞれ示す。
この実施例のホルダー１は、全体が合成皮革により形成されており、矩形状のタブレット端末３の外形に応じた矩形状の表板部１１と、この表板部１１の背面上に折り返されて重ねられている背板部１２とを有している。なお、ホルダー１の材料は、合成皮革に限らず、布や合成樹脂など、タブレット端末３の回路動作を阻害するおそれがない材料を適宜選択することができる。
【００３７】
前記表板部１１は、タブレット端末３を表示面３０を覆わない状態で前面に支持するタブレット端末の支持部４を備えている。図示例の支持部４は、タブレット端末３の表示面３０の外周に沿って一周する矩形状の枠体部４０と、枠体部４０の３辺と表板部１１の前面との間をタブレット端末３の厚みに応じた間隔をあけて連結する襠部材４１とで構成されている。各襠部材４１は、その長さが枠体部４０の対応する辺より短く、各辺の中央部に設けられている。枠体部４０と表板部１１の前面との間はタブレット端末３を収容することが可能な収容空間４５になっている。枠体部４０で囲まれる開口部分は、収容空間４５に収容されたタブレット端末３の表示面３０を視認することができる窓４６を構成している。
【００３８】
枠体部４０の残りの１辺と表板部１１の前面との間の間隙は、タブレット端末３の収容空間４５に対してタブレット端末３を出し入れするための出し入れ口４７となる。この出し入れ口４７は、タブレット端末３の脱出を防ぐために開閉可能な蓋４８で塞がれる。前記の各襠部材４１および蓋４８は同じ材料より成り、蓋４８の一端部は枠体部４０に止着され、蓋４８の他端部は開閉可能に解放されている。この実施例では、出し入れ口４７からのタブレット端末３の脱出をさらに防止するため、出し入れ口４７を内側に設けているが、必ずしもこの位置に限られるものではない。なお、支持部４は、タブレット端末３を表示面３０を覆わない状態で表板部１１の前面に支持できる構成のものであれば、この実施例のものに限定されず、例えば、後述するような種々の他の実施態様を採択し得る。
【００３９】
ホルダー１の表板部１１には、支持部４の一側方へ一定の幅ｄ２で張り出す部分、すなわち、第１の張出し部１３が一連一体に形成されている。背板部１２の幅はこの第１の張出し部１３を含む表板部１１の幅に一致する。
また、表板部１１には、支持部４の他側方へ一定の幅ｄ３で張り出して背板部１２との間に介在する部分、すなわち、第２の張出し部１４が後述する第１の折れ線５１を介して設けられている。第２の張出し部１４の幅ｄ３は前記支持部４の厚みに応じて設定され、図示例では第１の張出し幅ｄ２より大きく設定されている。
【００４０】
上記の表板部１１および背板部１２には容易に変形しないように芯材（図示せず）が設けられている。第１の張出し部１３の芯材は表板部１１の芯材と一体のものである。第２の張出し部１４の芯材は表板部１１の芯材および背板部１２の芯材とは独立している。
【００４１】
第２の張出し部１４には、背板部１２を表板部１１の背面上と表板部１１の前面上とに折り返すことを可能とする折り返し部５が形成される。この実施例では、表板部１１と第２の張出し部１４とが連なる部分に形成された第１の折れ線５１と、背板部１２と第２の張出し部１４とが連なる部分に形成された第２の折れ線５２とで、前記の折り返し部５が構成されている。
【００４２】
第１、第２の各折れ線５１，５２は、芯材のない柔軟な部分に位置している。第１の折れ線５１は第２の張出し部１４を前面側へ９０度折り曲げることを可能とするものである。また、第２の折れ線５２は背板部１２を表板部１１の背面上と表板部１１の前面上とに前後に折り返すことを可能とするものである。なお、第２の折れ線５２は、第２の張出し部１４に対して背板部１２を前後に屈曲することが可能な構成のものであるが、第１の折れ線５１は、表板部１１に対して第２の張出し部１４を前面側へ屈曲可能な構成であればよい。なお、折り返し部５は必ずしも折れ線をもって構成する必要はなく、例えば、芯材のない柔軟な部分に幅を持たせた帯状部分をもって構成してもよい。
【００４３】
この実施例では、背板部１２は第２の折れ線５２に沿って表板部１１の背面上に折り返されて重ねられるとともに、その折り重ね状態が留め部材により保持されている。留め部材として種々のものを採択し得るが、この実施例では、背板部１２の背面と表板部１１の背面とが対向する面の同位置に、互いに噛み合う面ファスナー６Ａ，６Ｂがそれぞれ取り付けられている。
【００４４】
上記した構成のホルダー１にタブレット端末３を支持させたものを固定台２に固定するには、まず、ホルダー１を開放状態（図５参照）にして、表板部１１の支持部４にタブレット端末３を支持させる。この実施例では、タブレット端末の出し入れ口４７よりタブレット端末３を収容空間４５内に挿入した後、出し入れ口４７を蓋４８で塞ぐことによりタブレット端末３は表示面３０が窓４６より視認可能な状態で収容空間４５内に支持される。次いで、背板部１２を第２の折れ線５２で表板部１１の背面上へ折り返して重ね合わせ、面ファスナー６Ａ，６Ｂを噛み合わせてその折り返し状態を固定する（図４参照）。
【００４５】
上記のように組み立てられたホルダー１を固定台２に固定するには、固定台２の一方の側壁部２２を外方へ押し倒して支持部材２８を開いた後、ホルダー１の表板部１１の第１の張出し部１３を固定台２の側壁部２１の支持部材２８と背壁部２３の支え面２３ａとの間の溝２０に差し入れ、支え面２３ａ上にホルダー１を位置決めする。この状態で側壁部２２をバネの復元力で復帰動作させて支持部材２８を閉じると、ホルダー１の表板部１１の第２の張出し部１４が固定台２の側壁部２２の支持部材２８と背壁部２３の支え面２３ａとの間の溝２０に挿入された状態となり、ホルダー１の第１、第２の各張出し部１３，１４と左右の支持部材２８とが係合した状態となりホルダー１は固定台２に支持される。
【００４６】
また、ホルダー１は固定台２の支え面２３ａに設けられた板バネ２９のバネ圧によって押圧され、第１、第２の各張出し部１３，１４は左右の支持部材２８，２８へ押し付けられて係合するので、ホルダー１およびホルダー１に支持されるタブレット端末３は固定台２上に立てた姿勢でしっかりと保持される。さらに、左右の側壁部２１，２２はホルダー１の第１の張出し部１３と第２の張出し部１４との間の幅ｄ１より大きな間隔Ｄ１を隔てて対向しているので、ホルダー１は側壁部２１，２２間に嵌まり込んで底板２４上に安定して支持され、表板部１１のずれや揺動を防ぐことができる。
【００４７】
このようにホルダー１が固定台２にしっかりと固定されると、タブレット端末３を支持する表板部１１は動かない状態で保持されるので、走行時の列車の振動が固定台２に伝搬しても、タブレット端末３が揺れたり位置ずれしたりすることがなく、タブレット端末３は立てた姿勢で安定して支持される。
【００４８】
なお、上記の固定台２に、紙の時刻表８を取り付ける場合には、図８に示すように、時刻表８の左右の側縁部を固定台２の支持部材２８，２８と支え面２３ａとの間の溝２０，２０に差し入れる。背後の板バネ２９は時刻表８の両側縁を各支持部材２８，２８に押し付けるので、時刻表８は立てた姿勢で支持される。
【００４９】
ホルダー１を固定台２から取り外す場合には、固定台２の側壁部２２を外側に押し倒して支持部材２８を開き、第２の張出し部１４と支持部材２８との係合を解除すれば、ホルダー１をタブレット端末３を支持した状態のまま固定台２より取り出すことができる。
【００５０】
つぎに、取り外したホルダー１は、背板部１２が第２の折れ線５２で折り返されて表板部１１の背面上へ重ねられているので、まず、面ファスナー６Ａ，６Ｂを外し、第２の折れ線５２で背板部１２を前面側へ折り曲げかつ第１の折れ線５１で第２の張出し部１４を前面側へ折り曲げることにより、背板部１２を図７に示すように表板部１１の前面上に折り返す。これにより、タブレット端末３の表示面３０は背板部１２により覆われ、タブレット端末３をホルダー１に支持された状態のまま持ち運ぶことができ、タブレット端末３の保管や持ち歩きのために別の保護ケースを用意する必要がない。
【００５１】
なお、上記したホルダー１の支持部４は、前記した枠体部４０や襠部材４１を設けることに代えて、例えば、図９に示すように、表板部１１の前面の上下の各端部位置にタブレット端末３の上端部および下端部を全幅にわたってそれぞれ支持する上下の支持片４２，４３を設けた構成のものであってもよい。各支持片４２，４３は内側にタブレット端末３の上端部、下端部がそれぞれ挿入される溝４２ａ，４３ａを有しており、両端面４２ｂ，４３ｂはタブレット端末３の上下の各端部を溝４２ａ，４３ａへ挿入し易くするためにゴムにより形成され、その他は合成皮革により形成されている。
ホルダー１の支持部４は、さらに、図示していないが、表板部１１の周縁部の適所（たとえば四隅）に板バネ状の取付具を配備し、これらの取付具と表板部１１との間にタブレット端末３を挟み込んで固定する構成のものであってもよい。また、タブレット端末３の背面の適所にネジ軸部を突設し、一方、表板部１１のネジ軸部に対応する箇所に孔部を設け、ネジ軸部を孔部に挿入してナットにより固定することもできる。これらの実施態様によれば、タブレット端末３の厚み部分が露出した状態になるので、タブレット端末３をホルダー１に支持した状態のままで外部機器に接続することが容易になる。
【００５２】
また、タブレット端末支持装置１０により支持されるタブレット端末３は、時刻表のデータを表示する用途に限らず、必要に応じて運行マニュアルや管理部門からのメッセージなどを表示する用途に使用することもできる。
さらに、タブレット端末支持装置１０は、列車の運転室への導入に限らず、タブレット端末３の表示画面を確認しながら作業をする必要がある現場（たとえば工場、調理場、店舗のレジなど）にも導入することができ、また、一般家庭で画像などを鑑賞する用途にも利用することができる。
【００５３】
ところで、タブレット端末支持装置１０により支持されたタブレット端末３が長時間使用される場合には、支持された状態のままでタブレット端末３に電源を供給できるようにするのが望ましい。この課題を解決するのに好適な方法として、タブレット端末支持装置１０にワイヤレス給電の機能を設けることも可能である。
たとえば、ホルダー１に対しては、背板部１２のタブレット端末３の内部のアンテナに対応する箇所に穴をあけると共に、固定台２の背壁部２３に対して、背板部１２が背壁部２３に対向したときに穴に対向する位置に電磁誘導式のワイヤレス給電器を取り付けると、タブレット端末３のアンテナと給電器との間には表板部１１が位置するだけであるので、給電用の電波がタブレット端末３に届きやすくなる。よって、ホルダー１および固定台２により支持されたタブレット端末３に情報を表示しながら、非接触で電源を供給することができ、タブレット端末３の長時間の使用が可能になる。なお、上記の穴が蓋板などにより塞がれるような構成にしておけば、ホルダー１を固定台２から取り外して背板部１２を前面側に反転させた場合には、背板部１２によってタブレット端末の表示面の全体を覆うことができる。
その他、図示していないが、ホルダー１の適所、例えば、第２の張出し部１４の内面に筒状をなす布製のペン入れを取り付けるなど、使用の便宜をはかるための種々の構成を付加することもできる。
【符号の説明】
【００５４】
１    ホルダー
２    固定台
３    タブレット端末
４    支持部
５    折り返し部
１０  タブレット端末支持装置
１１  表板部
１２  背板部
１３  第１の張出し部
１４  第２の張出し部
２０  溝
２１，２２  側壁部
２３  背壁部
２３ａ支え面
２８  支持部材
３０  表示面
４０  枠体部
４１  襠部材
４５  収容空間
４７  出し入れ口
５１  第１の折れ線
５２  第２の折れ線
【図１】
2015189240.tif 000003
【図２】
2015189240.tif 000004
【図３】
2015189240.tif 000005
【図４】
2015189240.tif 000006
【図５】
2015189240.tif 000007
【図６】
2015189240.tif 000008
【図７】
2015189240.tif 000009
【図８】
2015189240.tif 000010
【図９】
2015189240.tif 000011
【図１０】
2015189240.tif 000012
【図１１】
2015189240.tif 000013
【図１２】
2015189240.tif 000014
【図１３】
2015189240.tif 000015